(57)【特許請求の範囲】
【請求項１】
複数の電子機器から成る装置であって、
第１電子機器と、
前記第１電子機器に機械的及び電気的に連結可能な第２電子機器とを具備し、
前記第１電子機器は、
第１筐体と、
前記第１筐体中に収容された、フローティング機構と複数の第１ガイドレールとを有する第１シェルフと、
前記第１シェルフの前記第１ガイドレールに沿って該第１シェルフ中に挿入された、それぞれ第１コネクタを有する複数の第１プリント配線板ユニットと、
前記第１筐体に固定された、それぞれ第１の直径を有する複数の第１ガイドピンと、
前記第１シェルフに固定された、それぞれ前記第１の直径より小さな第２の直径を有する複数の第２ガイドピンとを具備し、
前記第２電子機器は、
第２筐体と、
複数の第２ガイドレールを有し、前記第２筐体中に収容固定された第２シェルフと、
前記複数の第１コネクタが嵌合可能な複数の第２コネクタを有し、前記第２シェルフに実装されたバックプレーンと、
前記第２シェルフの前記第２ガイドレールに沿って該第２シェルフ中に挿入され、前記バックプレーンに電気的に接続された複数の第２プリント配線板ユニットと、
前記第２筐体に形成された、前記各第１ガイドピンが嵌合される複数の第１ガイド穴と、
前記第２シェルフに形成された、前記各第２ガイドピンが嵌合される複数の第２ガイド穴と、
を具備したことを特徴とする複数の電子機器から成る装置。
【請求項２】
複数の電子機器から成る装置であって、
第１電子機器と、
前記第１電子機器に機械的及び電気的に連結可能な第２電子機器とを具備し、
前記第１電子機器は、
第１筐体と、
前記第１筐体中に収容された、フローティング機構と複数の第１ガイドレールとを有する第１シェルフと、
前記第１シェルフの前記第１ガイドレールに沿って該第１シェルフ中に挿入された、それぞれ第１コネクタを有する複数の第１プリント配線板ユニットと、
前記第１筐体に固定された、それぞれ第１の直径を有する複数の第１ガイドピンと、
前記第１シェルフに固定された、それぞれ前記第１の直径より小さな第２の直径を有する複数の第２ガイドピンとを具備し、
前記第２電子機器は、
第２筐体と、
複数の第２ガイドレールを有し、前記第２筐体中に収容固定された第２シェルフと、
前記複数の第１コネクタが嵌合可能な複数の第２コネクタを有し、前記第２筐体に固定されたバックプレーンと、
前記第２シェルフの前記第２ガイドレールに沿って該第２シェルフ中に挿入され、前記バックプレーンに電気的に接続された複数の第２プリント配線板ユニットと、
前記第２筐体に形成された、前記各第１ガイドピンが嵌合される複数の第１ガイド穴と、
前記第２筐体に形成された、前記各第２ガイドピンが嵌合される複数の第２ガイド穴と、
を具備したことを特徴とする複数の電子機器から成る装置。
【請求項３】
前記フローティング機構は、前記第１シェルフに形成されたそれぞれ第３の直径を有する複数の穴と、前記各穴に対応するように前記第１筐体に形成された複数のネジ穴と、前記第３の直径より小さな第４の直径を有し、前記各穴を貫通して前記各ネジ穴に螺合された複数のネジとを含んでいる請求項１又は２記載の複数の電子機器から成る装置。
【請求項４】
第１筐体と、前記第１筐体中に収容された、フローティング機構と複数の第１ガイドレールとを有する第１シェルフと、前記第１シェルフの前記第１ガイドレールに沿って該第１シェルフ中に挿入された、それぞれ第１コネクタを有する複数の第１プリント配線板ユニットと、前記第１筐体に固定された、それぞれ第１の直径を有する複数の第１ガイドピンと、前記第１シェルフに固定された、それぞれ前記第１の直径より小さな第２の直径を有する複数の第２ガイドピンとを具備する第１電子機器に機械的及び電気的に連結可能な第２電子機器であって、
前記第２電子機器は、
第２筐体と、
複数の第２ガイドレールを有し、前記第２筐体中に収容固定された第２シェルフと、
前記複数の第１コネクタが嵌合可能な複数の第２コネクタを有し、前記第２シェルフに実装されたバックプレーンと、
前記第２シェルフの前記第２ガイドレールに沿って該第２シェルフ中に挿入され、前記バックプレーンに電気的に接続された複数の第２プリント配線板ユニットと、
前記第２筐体に形成された、前記各第１ガイドピンが嵌合される複数の第１ガイド穴と、
前記第２シェルフに形成された、前記各第２ガイドピンが嵌合される複数の第２ガイド穴と、
を具備したことを特徴とする第２電子機器。
【請求項５】
第１筐体と、前記第１筐体中に収容された、フローティング機構と複数の第１ガイドレールとを有する第１シェルフと、前記第１シェルフの前記第１ガイドレールに沿って該第１シェルフ中に挿入された、それぞれ第１コネクタを有する複数の第１プリント配線板ユニットと、前記第１筐体に固定された、それぞれ第１の直径を有する複数の第１ガイドピンと、前記第１シェルフに固定された、それぞれ前記第１の直径より小さな第２の直径を有する複数の第２ガイドピンとを具備する第１電子機器に機械的及び電気的に連結可能な第２電子機器であって、
前記第２電子機器は、
第２筐体と、
複数の第２ガイドレールを有し、前記第２筐体中に収容固定された第２シェルフと、
前記複数の第１コネクタが嵌合可能な複数の第２コネクタを有し、前記第２筐体に固定されたバックプレーンと、
前記第２シェルフの前記第２ガイドレールに沿って該第２シェルフ中に挿入され、前記バックプレーンに電気的に接続された複数の第２プリント配線板ユニットと、
前記第２筐体に形成された、前記各第１ガイドピンが嵌合される複数の第１ガイド穴と、
前記第２筐体に形成された、前記各第２ガイドピンが嵌合される複数の第２ガイド穴と、
を具備したことを特徴とする第２電子機器。
【請求項６】
前記フローティング機構は、前記第１シェルフに形成されたそれぞれ第３の直径を有する複数の穴と、前記各穴に対応するように前記第１筐体に形成された複数のネジ穴と、前記第３の直径より小さな第４の直径を有し、前記各穴を貫通して前記各ネジ穴に螺合された複数のネジとを含んでいる請求項４又は５記載の第２電子機器。
【発明の詳細な説明】
【０００１】
【発明の属する技術分野】
本発明は一般的に電子機器に関し、特に、複数の電子機器の高精度連結機構に関する。
【０００２】
【従来の技術】
情報処理装置の処理性能向上のために、多くのＣＰＵの搭載と高密度実装化を行っているが、コンピュータ１台あたりの大きさ及び重量には限界がある。そのため最高速の処理性能を実現するためには、複数台のコンピュータの接続が必須になっている。
【０００３】
従来は、それぞれのコンピュータの筐体に片面バックプレーン（バックワイヤリングボード）を搭載して、このバックプレーンに複数のＣＰＵボードを実装している。各コンピュータ間の信号の伝達のために、多数のケーブルを使用してコンピュータとコンピュータの間を接続している。
【０００４】
コンピュータ間を多数のケーブルを使用して接続しているため、ケーブル収納用の連結枠を使用してコンピュータとコンピュータとの間の機械的な連結を行っている。
【０００５】
このように複数のコンピュータを接続して使用する従来の情報処理装置では、出荷先のコンピュータ室にて一本ずつケーブルを接続するため、情報処理装置の設置に長時間を必要とする。
【０００６】
【発明が解決しようとする課題】
複数台のコンピュータを使用して構成する従来の情報処理装置構成では、高価なバックプレーンを各コンピュータの筐体に実装し、最大構成時１００本以上の多数のケーブルを使用してコンピュータ間を電気的に接続するため、設置に長時間を要し、コストアップの要因となっている。
【０００７】
さらに、出荷先にて一本ずつケーブルを接続する必要があるため、接続ミスを誘発する恐れがあり、コネクタを含むケーブル障害を発生しやすい。
【０００８】
また、プリント配線板ユニット（ＣＰＵボード）に実装されたコネクタとバックプレーンに実装されたコネクタは両方のコネクタとも半田付け又はプレスフィットにより、それぞれプリント配線板ユニット及びバックプレーンに固定されているため、コネクタ嵌合時の許容誤差に限界があり、異なる筐体にプリント配線板ユニットとバックプレーンが実装された場合は位置出しが困難であった。
【０００９】
よって、本発明の目的は、複数の電子機器を高精度に連結可能な連結機構を提供することである。
【００１０】
本発明の他の目的は、高精度に連結されるのに適した電子機器を提供することである。
【００１５】
【課題を解決するための手段】
本発明の一側面によると、複数の電子機器から成る装置であって、第１電子機器と、前記第１電子機器に機械的及び電気的に連結可能な第２電子機器とを具備し、前記第１電子機器は、第１筐体と、前記第１筐体中に収容された、フローティング機構と複数の第１ガイドレールとを有する第１シェルフと、前記第１シェルフの前記第１ガイドレールに沿って該第１シェルフ中に挿入された、それぞれ第１コネクタを有する複数の第１プリント配線板ユニットと、前記第１筐体に固定された、それぞれ第１の直径を有する複数の第１ガイドピンと、前記第１シェルフに固定された、それぞれ前記第１の直径より小さな第２の直径を有する複数の第２ガイドピンとを具備し、前記第２電子機器は、第２筐体と、複数の第２ガイドレールを有し、前記第２筐体中に収容固定された第２シェルフと、前記複数の第１コネクタが嵌合可能な複数の第２コネクタを有し、前記第２シェルフに実装されたバックプレーンと、前記第２シェルフの前記第２ガイドレールに沿って該第２シェルフ中に挿入され、前記バックプレーンに電気的に接続された複数の第２プリント配線板ユニットと、前記第２筐体に形成された、前記各第１ガイドピンが嵌合される複数の第１ガイド穴と、前記第２シェルフに形成された、前記各第２ガイドピンが嵌合される複数の第２ガイド穴と、を具備したことを特徴とする複数の電子機器から成る装置が提供される。
【００１６】
好ましくは、フローティング機構は、第１シェルフに形成されたそれぞれ第３の直径を有する複数の穴と、各穴に対応するように第１筐体に形成された複数のネジ穴と、第３の直径より小さな第４の直径を有し、各穴を貫通して各ネジ穴に螺合された複数のネジとを含んでいる。
【００１７】
本発明のさらに側面によると、複数の電子機器から成る装置であって、第１電子機器と、前記第１電子機器に機械的及び電気的に連結可能な第２電子機器とを具備し、前記第１電子機器は、第１筐体と、前記第１筐体中に収容された、フローティング機構と複数の第１ガイドレールとを有する第１シェルフと、前記第１シェルフの前記第１ガイドレールに沿って該第１シェルフ中に挿入された、それぞれ第１コネクタを有する複数の第１プリント配線板ユニットと、前記第１筐体に固定された、それぞれ第１の直径を有する複数の第１ガイドピンと、前記第１シェルフに固定された、それぞれ前記第１の直径より小さな第２の直径を有する複数の第２ガイドピンとを具備し、前記第２電子機器は、第２筐体と、複数の第２ガイドレールを有し、前記第２筐体中に収容固定された第２シェルフと、前記複数の第１コネクタが嵌合可能な複数の第２コネクタを有し、前記第２筐体に固定されたバックプレーンと、前記第２シェルフの前記第２ガイドレールに沿って該第２シェルフ中に挿入され、前記バックプレーンに電気的に接続された複数の第２プリント配線板ユニットと、前記第２筐体に形成された、前記各第１ガイドピンが嵌合される複数の第１ガイド穴と、前記第２筐体に形成された、前記各第２ガイドピンが嵌合される複数の第２ガイド穴と、を具備したことを特徴とする複数の電子機器から成る装置が提供される。
【００１８】
【発明の実施の形態】
図１を参照すると、本発明第１実施形態の斜視図が示されている。第１コンピュータ（第１電子機器）２は第１筐体４を有しており、この第１筐体４に第１シェルフ６が搭載されている。第１シェルフ６は図示しないフローティング機構により可動可能に第１筐体４に搭載されている。
【００１９】
第１シェルフ６には、図２に示すように複数のガイドレール８が板金の切り起こしにより形成されている。ＣＰＵ等の電子部品を搭載した複数のプリント配線板ユニット（ＣＰＵボード）１０がレール８に沿って第１シェルフ６中に挿入されている。
【００２０】
第１筐体４には第１の直径を有する一対の第１ガイドピン１２が固定されており、第１シェルフ６には第１の直径より小さな第２の直径を有する一対の第２ガイドピン１４が固定されている。
【００２１】
各プリント配線板ユニット１０の前面には第２の直径より小さな第３の直径を有する第３ガイドピン１６と、第１コネクタ２０が取り付けられている。第１筐体４の底面には、４個の高さ調整機構（レベリング機構）１８が取り付けられている。
【００２２】
第２コンピュータ（第２電子機器）２２は第２筐体２４を有しており、この第２筐体２４には第２シェルフ２６が搭載されている。第２シェルフ２６にはバックプレーン（バックワイヤリングボード）２８が実装されている。
【００２３】
第２シェルフ２６にはさらに、図示しないガイドレールに沿って複数のプリント配線板ユニット（ＣＰＵボード）３０が挿入され、各プリント配線板ユニット３０はバックプレーン２８に電気的に接続される。
【００２４】
第２筐体２４には第１ガイドピン１２が嵌合される一対の第１ガイド穴３２が形成されており、第２シェルフ２６には第２ガイドピン１４が嵌合される一対の第２ガイド穴３４が形成されている。
【００２５】
バックプレーン２８には各プリント配線板ユニット１０に取り付けられた第３ガイドピン１６が嵌合する複数の第３ガイド穴３６が形成されており、さらに第１コネクタ２０が嵌合する複数の第２コネクタ４０が搭載されている。第２筐体２４の底面には、４個の高さ調整機構（レベリング機構）３８が取り付けられている。
【００２６】
図３を参照すると、本実施形態の連結機構の詳細図が模式的に示されている。まず、第１筐体４の高さ調整機構１８及び第２筐体２４の高さ調整機構３８を調整して、第１ガイドピン１２が第１ガイド穴３２に嵌合できる程度まで第１筐体４及び第２筐体２４の高さを調整する。
【００２７】
次いで、図示しないキャスターを使用して第１コンピュータ２を第２コンピュータ２２に近付け、第１ガイドピン１２を第１ガイド穴３２に挿入する。これにより、第１コンピュータ２と第２コンピュータ２２が概略の位置合わせをされたことになる。
【００２８】
第１ガイドピン１２が第１ガイド穴３２の中間まで挿入されると、第２ガイドピン１４の第２ガイド穴３４への挿入が開始され、これにより第１シェルフ６のフローティング機構が働き第１シェルフ６と第２シェルフ２６の位置が整列する。
【００２９】
さらに、第１コンピュータ２を第２コンピュータ２２に向けて移動させると、第２ガイドピン１４が第２ガイド穴３４中に完全に挿入され、第１シェルフ６と第２シェルフ２６が位置合わせされる。
【００３０】
この状態に於いて、第１シェルフ６中にプリント配線板ユニット１０を挿入すると、第３ガイドピン１６がバックプレーン２８に形成された第３ガイド穴３６に嵌合し、コネクタ２０，４０の許容誤差範囲になり、第１コネクタ２０が第２コネクタ４０に嵌合される。これにより、第１コンピュータ２と第２コンピュータ２２がコネクタ２０，４０を介して電気的に接続されたことになる。
【００３１】
図４を参照すると、本発明第２実施形態の斜視図が示されている。図４は第１コンピュータ（第１電子機器）４２と第２コンピュータ（第２電子機器）４４が連結された状態を示している。第２コンピュータ４４が固定側のコンピュータであり、第１コンピュータ４２が移動側のコンピュータである。
【００３２】
図５の断面図に示すように、第１コンピュータ４２の第１筐体４３中には複数のガイドレール４８（図６参照）を有する第１シェルフ４６が、後で詳細に説明するフローティング機構を介して搭載されている。
【００３３】
第２コンピュータ４４の第２筐体４５中には、複数のガイドレール５６を有する第２シェルフ５０が搭載されている。第２筐体４５にはさらに、第１バックプレーン（第１バックワイヤリングボード）５２と第２バックプレーン（第２バックワイヤリングボード）５４が取り付けられている。第１バックプレーン５２と第２バックプレーン５４は図示しないプリント配線板により電気的に接続されている。
【００３４】
第１筐体４３の底面には４個のキャスター５８と、４個の高さ調整機構（レベリング機構）６０が取り付けられている。第２筐体４５の底面には、４個のキャスター６２と、４個の高さ調整機構（レベリング機構）６４が取り付けられている。
【００３５】
図６に最も良く示されるように、第１ガイド機構６６は第１筐体４３に固定された第１の直径を有する第１ガイドピン６８と、第２筐体４５に形成された第１ガイド穴７０とから構成される。
【００３６】
第２ガイド機構７２は、第１シェルフ４６に固定された第１の直径より小さな第２の直径を有する第２ガイドピン７４と、第２筐体４５に形成された第２ガイド穴７６とから構成される。
【００３７】
図８を見ると明らかなように、一対の第１ガイドピン６８が第１筐体４３に固定されており、一対の第２ガイドピン７４が第１シェルフ４６に固定されている。よって、対応する第１ガイド穴７０及び第２ガイド穴７６もそれぞれ一対設けられている。
【００３８】
図７に示されるように、第１シェルフ４６中にはガイドレール４８に沿ってプリント配線板ユニット（ＣＰＵボード）７８が挿入される。プリント配線板ユニット７８が第１シェルフ４６内にいっぱいに挿入されると、第３ガイド機構８０が嵌合する。
【００３９】
第３ガイド機構８０は、第２バックプレーン５４に固定された第３ガイドピン８２と、プリント配線板ユニット７８に搭載された第３ガイド穴を有する受け部材８４とから構成される。
【００４０】
プリント配線板ユニット７８を第１シェルフ４６内にいっぱいに挿入して、第３ガイドピン８２が受け部材８４の第３ガイド穴中に挿入されると、プリント配線板ユニット７８に搭載された第１コネクタ８６と第２バックプレーン５４に搭載された第２コネクタ８８は許容誤差範囲内に整列し、第１コネクタ８６が第２コネクタ８８に嵌合する。
【００４１】
これにより、第１コンピュータ４２と第２コンピュータ４４が電気的に接続されたことになる。この状態で、図６に示すようにネジ９０を第２筐体４５に形成されたネジ穴に螺合することにより、第１筐体４３と第２筐体４５が機械的に連結される。
【００４２】
次いで、図８乃至図１０を参照して、第１シェルフ４６のフローティング機構（可動機構）９２について説明する。図８に示すように、フローティング機構９２は６ヶ所設けられている。
【００４３】
図１０に示すように、フローティング機構９２は第１シェルフ４６に形成された丸穴９４と、第１筐体４３に形成されたネジ穴９６と、丸穴９４の直径より小さな直径を有するネジ９８とから構成される。
【００４４】
座金１００及び丸穴９４を介してネジ９８を第１筐体４３に形成されたネジ穴９６に螺合する。ネジ９８の直径が丸穴９４の直径より小さいため、第１シェルフ４６はあらゆる方向に僅かばかり移動可能に第１筐体４３に取り付けられる。
【００４５】
次に、図１１（Ａ）乃至図１３（Ｂ）を参照して、各ガイド機構の寸法関係について説明する。図１１（Ａ）に示すように、第１ガイドピン６８は直径Ｄ１を有している。一方、第２筐体４５に形成された第１ガイド穴７０は直径Ｄ２を有している。Ｄ１は例えば１４ｍｍ，Ｄ２は例えば１６ｍｍである。
【００４６】
図１２（Ａ）に示すように、第２ガイドピン７４は直径Ｄ３を有しており、図１２（Ｂ）に示すように第２筐体４５に形成された第２ガイド穴７６は直径Ｄ４を有している。Ｄ３は例えば９．８ｍｍ，Ｄ４は例えば１０．１ｍｍである。
【００４７】
図１３（Ａ）に示すように、第３ガイドピン８２は直径Ｄ５を有しており、図１３（Ｂ）に示すように、受け部材８４に形成された第３ガイド穴８５は直径Ｄ６を有している。直径Ｄ５は例えば４．８５ｍｍ、直径Ｄ６は例えば５．４ｍｍである。
【００４８】
以下、第１コンピュータ４２を第２コンピュータ４４に連結する方法について説明する。まず、第１筐体４３の底面に取り付けられた高さ調整機構６０及び第２筐体４５の底面に取り付けられた高さ調整機構６４を調整して、第１筐体４３と第２筐体４５の高さを概略合わせる。
【００４９】
次いで、キャスター５８を使用して第１コンピュータ４２を第２コンピュータ４４に近付け、第１ガイド機構６６により第１筐体４３と第２筐体４５の概略の位置合わせを行う。
【００５０】
第１ガイドピン６８が第１ガイド穴７０の中間まで挿入されると、第２ガイド機構７２が働くようになる。すなわち、第２ガイドピン７４の第２ガイド穴７６中への挿入が開始され、これによりフローティング状態で取り付けられた第１シェルフ４６が僅かばかり動き、第２ガイドピン７４が第２ガイド穴７６に整列する。
【００５１】
第１コンピュータ４２を第２コンピュータ４４方向にさらに移動させると、第１ガイド機構６６及び第２ガイド機構７２が完全に嵌合する。この状態で図７に示すように、第１シェルフ４６内にプリント配線板ユニット（ＣＰＵボード）７８をいっぱいに挿入すると、第３ガイドピン８２が受け部材８４の第３ガイド穴８５中に嵌合する。これにより、第１コネクタ８６と第２コネクタ８８が許容誤差範囲に整列し、第１コネクタ８６が第２コネクタ８８に嵌合する。
【００５２】
本発明は以下の付記を含むものである。
【００５３】
（付記１）  筐体と、
フローティング機構とプリント配線板ユニットをガイドするための複数のガイドレールを有し、前記筐体中に収容されたシェルフと、
を具備したことを特徴とする電子機器。
【００５４】
（付記２）  前記フローティング機構は、前記シェルフに設けられた第１の直径を有する複数の穴と、前記各穴に対応して前記筐体に形成された複数のネジ穴と、前記第１の直径より小さな第２の直径を有し、前記各穴を貫通して前記各ネジ穴に螺合された複数のネジとを含んでいる付記１記載の電子機器。
【００５５】
（付記３）  前記筐体は第１の直径を有する複数の第１ガイドピンを有しており、前記シェルフは前記第１の直径より小さな第２の直径を有する複数の第２ガイドピンを有している付記１記載の電子機器。
【００５６】
（付記４）  前記シェルフの前記ガイドレールに沿って該シェルフ中に挿入された複数のプリント配線板ユニットをさらに具備した付記１記載の電子機器。
【００５７】
（付記５）  前記シェルフの前記ガイドレールに沿って該シェルフ中に挿入された複数のプリント配線板ユニットをさらに具備し、
前記各プリント配線板ユニットは前記第２の直径より小さな第３の直径を有するガイド穴を有している付記３記載の電子機器。
【００５８】
（付記６）  前記シェルフの前記ガイドレールに沿って該シェルフ中に挿入された複数のプリント配線板ユニットをさらに具備し、
前記各プリント配線板ユニットは前記第２の直径より小さな第３の直径を有する第３ガイドピンを有している付記３記載の電子機器。
【００５９】
（付記７）  前記筐体は複数の高さ調整機構を有している付記１記載の電子機器。
【００６０】
（付記８）  複数の電子機器から成る装置であって、
第１電子機器と、
前記第１電子機器に機械的及び電気的に連結可能な第２電子機器とを具備し、
前記第１電子機器は、
第１筐体と、
前記第１筐体中に収容された、フローティング機構と複数の第１ガイドレールとを有する第１シェルフと、
前記第１シェルフの前記第１ガイドレールに沿って該第１シェルフ中に挿入された、それぞれ第１コネクタを有する複数の第１プリント配線板ユニットと、
前記第１筐体に固定された、それぞれ第１の直径を有する複数の第１ガイドピンと、
前記第１シェルフに固定された、それぞれ前記第１の直径より小さな第２の直径を有する複数の第２ガイドピンとを具備し、
前記第２電子機器は、
第２筐体と、
複数の第２ガイドレールを有し、前記第２筐体中に収容固定された第２シェルフと、
前記複数の第１コネクタが嵌合可能な複数の第２コネクタを有し、前記第２シェルフに実装されたバックプレーンと、
前記第２シェルフの前記第２ガイドレールに沿って該第２シェルフ中に挿入され、前記バックプレーンに電気的に接続された複数の第２プリント配線板ユニットと、
前記第２筐体に形成された、前記各第１ガイドピンが嵌合される複数の第１ガイド穴と、
前記第２シェルフに形成された、前記各第２ガイドピンが嵌合される複数の第２ガイド穴と、
を具備したことを特徴とする複数の電子機器から成る装置。
【００６１】
（付記９）  前記第１電子機器は、前記第１筐体に取り付けられた複数の高さ調整機構をさらに具備した付記８記載の複数の電子機器から成る装置。
【００６２】
（付記１０）  前記フローティング機構は、前記第１シェルフに形成されたそれぞれ第３の直径を有する複数の穴と、前記各穴に対応するように前記第１筐体に形成された複数のネジ穴と、前記第３の直径より小さな第４の直径を有し、前記各穴を貫通して前記各ネジ穴に螺合された複数のネジとを含んでいる付記８記載の複数の電子機器から成る装置。
【００６３】
（付記１１）  前記第１電子機器は、前記各第１プリント配線板ユニットに固定された、前記第２の直径より小さな第３の直径を有する複数の第３ガイドピンをさらに具備し、
前記第２電子機器の前記バックプレーンは、前記各第３ガイドピンが挿入される複数の第３ガイド穴を有している付記８記載の複数の電子機器から成る装置。
【００６４】
（付記１２）  複数の電子機器から成る装置であって、
第１電子機器と、
前記第１電子機器に機械的及び電気的に連結可能な第２電子機器とを具備し、
前記第１電子機器は、
第１筐体と、
前記第１筐体中に収容された、フローティング機構と複数の第１ガイドレールとを有する第１シェルフと、
前記第１シェルフの前記第１ガイドレールに沿って該第１シェルフ中に挿入された、それぞれ第１コネクタを有する複数の第１プリント配線板ユニットと、
前記第１筐体に固定された、それぞれ第１の直径を有する複数の第１ガイドピンと、
前記第１シェルフに固定された、それぞれ前記第１の直径より小さな第２の直径を有する複数の第２ガイドピンとを具備し、
前記第２電子機器は、
第２筐体と、
複数の第２ガイドレールを有し、前記第２筐体中に収容固定された第２シェルフと、
前記複数の第１コネクタが嵌合可能な複数の第２コネクタを有し、前記第２筐体に固定されたバックプレーンと、
前記第２シェルフの前記第２ガイドレールに沿って該第２シェルフ中に挿入され、前記バックプレーンに電気的に接続された複数の第２プリント配線板ユニットと、
前記第２筐体に形成された、前記各第１ガイドピンが嵌合される複数の第１ガイド穴と、
前記第２筐体に形成された、前記各第２ガイドピンが嵌合される複数の第２ガイド穴と、
を具備したことを特徴とする複数の電子機器から成る装置。
【００６５】
（付記１３）  前記フローティング機構は、前記第１シェルフに形成されたそれぞれ第３の直径を有する複数の穴と、前記各穴に対応するように前記第１筐体に形成された複数のネジ穴と、前記第３の直径より小さな第４の直径を有し、前記各穴を貫通して前記各ネジ穴に螺合された複数のネジとを含んでいる付記１２記載の複数の電子機器から成る装置。
【００６６】
（付記１４）  前記第２電子機器は、それぞれ前記第２の直径より小さな第３の直径を有し、前記バックプレーンに固定された複数の第３ガイドピンをさらに具備し、
前記第１電子機器は、前記各第１プリント配線板ユニットに形成された、前記各第３ガイドピンが挿入される複数の第３ガイド穴をさらに具備した付記１２記載の複数の電子機器から成る装置。
【００６７】
【発明の効果】
本発明は以上詳述したように構成したので、複数の電子機器の機械的及び電気的な高精度な連結が可能となる。電子機器同士の電気的接続をケーブルを使用せずにコネクタにより行ったので、ケーブル接続ミスが防止され、信頼性が向上する。
【００６８】
また、出荷先にて多数本のケーブルを接続する必要がないため、電子機器の設置が短時間で可能となり、大幅なコストダウンが可能である。
【図面の簡単な説明】
【図１】本発明第１実施形態の斜視図である。
【図２】シェルフの一部破断斜視図である。
【図３】連結機構を詳細に示す模式図である。
【図４】本発明第２実施形態の斜視図である。
【図５】図４の５−５線断面図である。
【図６】図５のＦ部分拡大図である。
【図７】プリント配線板ユニットを実装した状態の図６に類似した図である。
【図８】第１コンピュータ斜視図である。
【図９】図８の９−９線断面図である。
【図１０】図９のＧ部分拡大図である。
【図１１】図１１（Ａ）は第１ガイドピンの詳細図、図１１（Ｂ）は第１ガイド穴の詳細図である。
【図１２】図１２（Ａ）は第２ガイドピンの詳細図、図１２（Ｂ）は第２ガイド穴の詳細図である。
【図１３】図１３（Ａ）は第３ガイドピンの詳細図、図１３（Ｂ）は第３ガイド穴の詳細図である。
【符号の説明】
２  第１コンピュータ（第１電子機器）
４  第１筐体
６  第１シェルフ
１０  プリント配線板ユニット（ＣＰＵボード）
１２  第１ガイドピン
１４  第２ガイドピン
１６  第３ガイドピン
２０  第１コネクタ
２２  第２コンピュータ（第２電子機器）
２４  第２筐体
２６  第２シェルフ
２８  バックプレーン（バックワイヤリングボード）
３０  プリント配線板ユニット（ＣＰＵボード）
３２  第１ガイド穴
３４  第２ガイド穴
３６  第３ガイド穴
４０  第２コネクタ
４２  第１コンピュータ（第１電子機器）
４３  第１筐体
４４  第２コンピュータ（第２電子機器）
４５  第２筐体
４６  第１シェルフ
５０  第２シェルフ
５２  第１バックプレーン
５４  第２バックプレーン
６６  第１ガイド機構
７２  第２ガイド機構
７８  プリント配線板ユニット（ＣＰＵボード）
８０  第３ガイド機構
８６  第１コネクタ
８８  第２コネクタ
９２  フローティング機構
【図１】
0004083445.tif 000002
【図２】
0004083445.tif 000003
【図３】
0004083445.tif 000004
【図４】
0004083445.tif 000005
【図５】
0004083445.tif 000006
【図６】
0004083445.tif 000007
【図７】
0004083445.tif 000008
【図８】
0004083445.tif 000009
【図９】
0004083445.tif 000010
【図１０】
0004083445.tif 000011
【図１１】
0004083445.tif 000012
【図１２】
0004083445.tif 000013
【図１３】
0004083445.tif 000014